(57)【特許請求の範囲】
【請求項１】
光源に電力を供給して点灯する電源部と、前記電源部を制御して前記光源を点灯及び消灯する制御部と、入射光量に対応した電気量を有する検出信号を出力する光電変換部とを備え、
前記制御部は、前記検出信号の電気量を第１閾値及び第２閾値と比較し、前記電気量が前記第１閾値を下回った場合に前記電源部を制御して前記光源を点灯し、前記電気量が前記第２閾値を上回った場合に前記電源部を制御して前記光源を消灯するように構成され、
前記第２閾値は、前記第１閾値よりも高い値とされ、
前記制御部は、所定時間内に前記電源部を制御して前記光源を点滅させた回数に応じて、前記第２閾値を上昇させることを特徴とする点灯装置。
【請求項２】
前記制御部は、所定時間内に前記電源部を制御して前記光源を点滅させた回数が２回以上である場合に、前記第２閾値を上昇させることを特徴とする請求項１記載の点灯装置。
【請求項３】
前記所定時間は、前記電気量が前記第１閾値を下回ってから前記光源が点灯するまでの第１時間と、前記電気量が前記第２閾値を上回ってから前記光源が消灯するまでの第２時間との合計時間に、前記回数を乗じた時間以上であることを特徴とする請求項２記載の点灯装置。
【請求項４】
請求項１〜３のいずれか１項に記載の点灯装置と、前記点灯装置によって点灯させられる光源と、前記光源を支持する器具本体とを備えたことを特徴とする照明器具。
【発明の詳細な説明】
【技術分野】
【０００１】
本発明は、点灯装置および照明器具に関する。
【背景技術】
【０００２】
従来例として、特許文献１記載の照明装置を例示する。特許文献１記載の照明装置は、複数のＬＥＤ素子を有する発光モジュールと、発光モジュールに給電する電源部と、発光モジュールに設けられている照度センサとを有している。電源部は、入力電圧を電圧変換して発光モジュールに出力する電源電圧変換部と、照度センサの検出値を閾値と比較した比較結果に応じて電源電圧変換部を制御する制御部とを有している。制御部は、発光モジュールの消灯時と点灯時とで異なる閾値を具備している。消灯時の閾値は、発光モジュールの光が照度センサに入射して検出値が高くなる検出値の上昇分だけ、点灯時の閾値よりも高くなるように設定されている。
【０００３】
特許文献１記載の従来例は、発光モジュールの光が照度センサによる検出に影響する場合でも、発光モジュールの点灯および消灯を正常に制御可能としている。
【先行技術文献】
【特許文献】
【０００４】
【特許文献１】特開２０１３−２０１０１０号公報
【発明の概要】
【発明が解決しようとする課題】
【０００５】
ところで、特許文献１記載の従来例において、閾値は、照明装置の種類毎に測定や計算によって求められ、制御部が有する記憶部のテーブルに予め設定されている。しかしながら、発光モジュールから放射される光のうち、照度センサに入射する光の量は、周囲環境によって変化する場合がある。そのため、特許文献１記載の従来例の構成だけでは、発光モジュールから放射される光に起因した誤動作を防止することが困難であった。
【０００６】
本発明の目的は、周囲環境の違いに関わらず、誤動作の抑制を図ることができる点灯装置及び照明器具を提供することである。
【課題を解決するための手段】
【０００７】
本発明の一態様に係る点灯装置は、光源に電力を供給して点灯する電源部と、前記電源部を制御して前記光源を点灯及び消灯する制御部と、入射光量に対応した電気量を有する検出信号を出力する光電変換部とを備えている。前記制御部は、前記検出信号の電気量を第１閾値及び第２閾値と比較するように構成されている。前記制御部は、前記電気量が前記第１閾値を下回った場合に前記電源部を制御して前記光源を点灯し、前記電気量が前記第２閾値を上回った場合に前記電源部を制御して前記光源を消灯するように構成されている。前記第２閾値は、前記第１閾値よりも高い値とされている。前記制御部は、所定時間内に前記電源部を制御して前記光源を点滅させた回数に応じて、前記第２閾値を上昇させる。
【０００８】
本発明の一態様に係る照明器具は、前記点灯装置と、前記点灯装置によって点灯させられる光源と、前記光源を支持する器具本体とを備えている。
【発明の効果】
【０００９】
本発明の点灯装置及び照明器具は、周囲環境の違いに関わらず、誤動作の抑制を図ることができるという効果がある。
【図面の簡単な説明】
【００１０】
【図１】図１は、本発明の一実施形態に係る点灯装置の回路図である。
【図２】図２は、本発明の一実施形態に係る照明器具の斜視図である。
【図３】図３は、同上の点灯装置及び照明器具の動作説明用のタイムチャートである。
【発明を実施するための形態】
【００１１】
以下、本発明の一実施形態に係る点灯装置１及び照明器具８について、図面を参照して詳細に説明する。本実施形態に係る点灯装置１は、周囲の明るさに応じて光源を点滅する点灯装置である。また、本実施形態に係る照明器具８は、点灯装置１を備えた照明器具である。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１２】
本実施形態に係る点灯装置１は、図１に示すように、光源２に電力を供給して点灯する電源部１０と、電源部１０を制御して光源２を点灯及び消灯する制御部１１と、入射光量に対応した電気量を有する検出信号を出力する光電変換部１４とを備えている。さらに、本実施形態に係る点灯装置１（以下、点灯装置１と略す）は、制御電源回路１５を備えることが好ましい。
【００１３】
光源２は、複数個（図示は３個のみ）のＬＥＤ（発光ダイオード）２０の直列回路で構成されることが好ましい。ただし、光源２を構成するＬＥＤ２０の個数は３個に限定されず、１〜２個又は４個以上であってもよい。また、光源２は、有機エレクトロルミネッセンス素子やレーザーダイオード、あるいは蛍光ランプなどの放電ランプで構成されていてもよい。
【００１４】
電源部１０は、一対の入力端子１００Ａ、１００Ｂと、一対の出力端子１０１Ａ、１０１Ｂとを有している。一対の入力端子１００Ａ、１００Ｂは、交流電源４と電気的に接続されて交流電圧が入力されている。電源部１０は、例えば、力率改善回路と、降圧チョッパ回路と、電源制御回路とを有することが好ましい。力率改善回路は、入力端子１００Ａ、１００Ｂから入力される交流電圧を、交流電圧のピーク値よりも高い電圧値を有する直流電圧に変換する。降圧チョッパ回路は、力率改善回路から出力される直流電圧の電圧値を、光源２の定格電圧以下の電圧値に降圧する。降圧チョッパ回路で降圧された直流電圧は、一対の出力端子１０１Ａ、１０１Ｂから検出抵抗Ｒ１を介して光源２に出力される。光源２は、電源部１０から直流電圧が印加されることで点灯する。なお、電源制御回路は、力率改善回路を構成する半導体スイッチング素子をスイッチング制御して力率改善回路の出力電圧を定電圧化している。また、電源制御回路は、降圧チョッパ回路を構成する半導体スイッチング素子をスイッチング制御して光源２に流す電流を定電流化している。ただし、電源部１０は、必ずしも力率改善回路を備えていなくてもよい。
【００１５】
制御電源回路１５は、交流電源４から抵抗Ｒ２を介して供給される交流電圧を、５［Ｖ］〜３．３［Ｖ］程度の直流の制御電圧Ｖccに変換している。このような制御電源回路１５は、例えば、シリーズレギュレータやスイッチングレギュレータで構成されることが好ましい。
【００１６】
光電変換部１４は、例えば、フォトダイオード１４０と、抵抗１４１とを有している。フォトダイオード１４０のアノードが制御電源回路１５の出力端子と電気的に接続されている。また、フォトダイオード１４０のカソードが抵抗１４１の一端と電気的に接続されている。さらに、抵抗１４１の他端がグランドに電気的に接続されている。フォトダイオード１４０は、入射光量が多いほど多くの直流電流を抵抗１４１に流す。抵抗１４１は、フォトダイオード１４０を介して供給される直流電流を直流電圧に変換する。つまり、光電変換部１４は、入射光量に対応した電気量（電圧値）を有する検出信号Ｖｘを出力するように構成されている。
【００１７】
制御部１１は、第１制御回路１２と、第２制御回路１３とを有することが好ましい。第１制御回路１２は、比較器１２０、スイッチ素子１２１、抵抗Ｒ３〜Ｒ５などを有することが好ましい。比較器１２０のマイナスの入力端子に、光電変換部１４の検出信号Ｖｘが入力されている。比較器１２０のプラスの入力端子が、３つの抵抗Ｒ３〜Ｒ５のそれぞれの一端と電気的に接続されている。抵抗Ｒ３の他端が制御電源回路１５の出力端子と電気的に接続されている。比較器１２０は、制御電源回路１５から供給される制御電圧Ｖccで動作する。スイッチ素子１２１は、ＮＰＮ型のバイポーラトランジスタである。スイッチ素子１２１のベースが比較器１２０の出力端子と電気的に接続されている。スイッチ素子１２１のエミッタが抵抗Ｒ４の他端及びグランドに電気的に接続されている。スイッチ素子１２１のコレクタが抵抗Ｒ５の他端と電気的に接続されている。また、スイッチ素子１２１のコレクタは、電源部１０の制御端子１０２と電気的に接続されている。
【００１８】
比較器１２０は、マイナスの入力端子に入力される検出信号Ｖｘの電圧と、プラスの入力端子に入力される閾値とを比較し、検出信号Ｖｘの電圧値が閾値未満のときに出力をハイレベルとし、検出信号Ｖｘの電圧値が閾値以上のときに出力をローレベルとする。スイッチ素子１２１は、比較器１２０の出力がハイレベルのときにオンし、比較器１２０の出力がローレベルのときにオフする。ただし、比較器１２０のプラスの入力端子に入力される閾値は、スイッチ素子１２１がオフの場合は、制御電圧Ｖccを抵抗Ｒ３と抵抗Ｒ４で分圧した値となる。一方、スイッチ素子１２１がオンの場合、閾値は、制御電圧Ｖccを抵抗Ｒ３と抵抗Ｒ５で分圧した値にほぼ一致する。ここで、抵抗Ｒ５の抵抗値が抵抗Ｒ４の抵抗値よりも十分に小さければ、スイッチ素子１２１がオンの場合の閾値（第１閾値ＶＴ１）は、スイッチ素子１２１がオフの場合の閾値（第２閾値ＶＴ２）よりも十分に小さくなる。つまり、比較器１２０のプラスの入力端子に入力される閾値は、ヒステリシスを有している。
【００１９】
スイッチ素子１２１がオフしている場合、電源部１０の制御端子１０２は、抵抗Ｒ５を介してハイレベルに維持されている。一方、スイッチ素子１２１がオンしている場合、電源部１０の制御端子１０２は、スイッチ素子１２１を介してローレベルに維持されている。電源部１０の電源制御回路は、制御端子１０２がハイレベルの場合は力率改善回路及び降圧チョッパ回路を動作させて光源２を点灯し、制御端子１０２がローレベルの場合は力率改善回路及び降圧チョッパ回路を停止させて光源２を消灯する。
【００２０】
第２制御回路１３は、検出部１３０と可変抵抗器１３１を有することが好ましい。検出部１３０は、例えば、カウンタやメモリ、タイマなどを備えたマイクロコントローラで構成されていることが好ましい。検出部１３０は、検出抵抗Ｒ１の両端電圧を基準値と比較している。検出部１３０は、検出抵抗Ｒ１の両端電圧が基準値以上の場合に光源２が点灯していると判断する。また、検出部１３０は、検出抵抗Ｒ１の両端電圧が基準値未満の場合に光源２が消灯していると判断する。検出部１３０は、光源２が消灯していると判断した時点を起点とする経過時間をタイマでカウントし、経過時間が所定時間Ｔ１に達したらタイマのカウントをリセットする。さらに、検出部１３０は、所定時間Ｔ１内に光源２が点灯した後に再度消灯した回数Ｎをカウントする。所定時間Ｔ１は、例えば、数秒から数十秒の間の時間であることが好ましい。検出部１３０は、制御電源回路１５から供給される制御電圧Ｖccで動作する。
【００２１】
可変抵抗器１３１の一端が比較器１２０のプラスの入力端子と電気的に接続されている。可変抵抗器１３１の他端がグランドに電気的に接続されている。可変抵抗器１３１は、検出部１３０によって抵抗値が変化させられる。ここで、可変抵抗器１３１は、第１制御回路１２の抵抗Ｒ４と電気的に並列接続されている。ゆえに、比較器１２０のプラスの入力端子に入力される第２閾値ＶＴ２は、抵抗Ｒ３と、抵抗Ｒ４と可変抵抗器１３１の合成抵抗とで制御電圧Ｖccを分圧した値となる。つまり、検出部１３０は、可変抵抗器１３１の抵抗値を変化させることにより、比較器１２０の第２閾値ＶＴ２を調整することができる。
【００２２】
本実施形態に係る照明器具８は、いわゆる防犯灯であり、図２に示すように、地面に立てられる支柱５０（電力柱または鋼管ポール）もしくは建物の外壁などに取り付けられることが好ましい。ただし、本実施形態の照明器具８は防犯灯に限定されず、防犯灯以外の照明器具、例えば、道路灯や街路灯などであっても構わない。
【００２３】
照明器具８は、器具本体８０、グローブ８１、アーム８２などを有することが好ましい。器具本体８０は、合成樹脂により、下面が開口した長尺の矩形箱状に形成されることが好ましい。グローブ８１は、透光性を有する合成樹脂（たとえば、アクリル樹脂）により、半円筒状に形成されることが好ましい。グローブ８１は、長手方向の一端部（図２における上端部）に一対のヒンジ部８１０が設けられる。一対のヒンジ部８１０は、半円筒状に形成され、器具本体８０の長手方向の一端部（図２における上端部）に設けられる一対の軸に引っ掛けられる。つまり、グローブ８１は、器具本体８０の下面開口を塞ぐ閉位置（図２参照）と、器具本体８０の下面開口を開放する開位置との間で回転可能に器具本体８０に取り付けられる。ただし、グローブ８１の長手方向の他端部（図２における下端部）には、閉位置のグローブ８１を器具本体８０にねじ止めするためのねじが取り付けられている。
【００２４】
アーム８２は、固定部８２１を有することが好ましい。固定部８２１は、長尺の矩形平板状に形成される固定板８２１０と、固定板８２１０の長手方向に沿った両端縁から厚み方向に立ち上がる一対の側壁８２１１とを有することが好ましい。
【００２５】
固定部８２１の固定板８２１０は、だるま孔からなる第１ねじ挿通孔８２１２と、丸孔からなる第２ねじ挿通孔と、半円形のねじ挿通溝とを有することが好ましい。また、固定部８２１の一対の側壁８２１１には、矩形の挿通孔８２１５がそれぞれ設けられることが好ましい。
【００２６】
点灯装置１及び光源２は、器具本体８０内に収容されている。点灯装置１は、器具本体８０内の上寄りの位置に配置されることが好ましい。また、光電変換部１４は、器具本体８０内の上端の近くに配置されることが好ましい。光源２は、器具本体８０内において点灯装置１の下に配置されることが好ましい。つまり、光源２から放射される光は、グローブ８１を透過して空間に照射される。
【００２７】
アーム８２の固定部８２１は、取付金具９を介して支柱５０に固定される。取付金具９は、鋼板などの板材により、矩形平板状の取付板９０と、取付板９０の長手方向に沿った両端縁から厚み方向に立ち上がる一対の側板９１とを有する角樋状に形成されることが好ましい。取付板９０には、３つのねじ孔が設けられることが好ましい。また、各側板９１には、矩形の取付孔９１０がそれぞれ設けられることが好ましい。
【００２８】
続いて、照明器具８の施工手順を説明する。まず、施工作業を行う作業者は、各側板９１の取付孔９１０に挿通した取付バンド９２を支柱５０に巻回すことで取付金具９を支柱５０に固定する。続いて、作業者は、取付金具９の前方からアーム８２の固定部８２１を被せる。それから、作業者は、固定部８２１の第１ねじ挿通孔８２１２、第２ねじ挿通孔、ねじ挿通溝の各々に挿通した３本のねじ９３、９４、９５を、取付金具９の取付板９０の３つのねじ孔の各々にねじ込む。このように本実施形態の照明器具８は、取付金具９を介して支柱５０に取り付けられる。ただし、アーム８２の固定部８２１に設けられる挿通孔８２１５に取付バンド９２を挿通し、取付金具９を用いずに固定部８２１を直接支柱５０に固定することも可能である。
【００２９】
次に、図３のタイムチャートを参照して、点灯装置１の動作を説明する。図３の横軸は時間ｔを表し、図３の縦軸は電圧を表している。また、図３における実線αは、光電変換部１４から出力される検出信号Ｖｘの電圧値を示している。
【００３０】
検出信号Ｖｘの電圧値は、日の入り時刻に近付くにつれて徐々に低下する。そして、検出信号Ｖｘの電圧値が第１閾値ＶＴ１を下回ると（時間ｔ＝ｔ１）、比較器１２０の出力がハイレベルからローレベルに変化してスイッチ素子１２１がオフする。スイッチ素子１２１がオフすれば、電源部１０の電源制御回路が力率改善回路及び降圧チョッパ回路を動作させて光源２を点灯する。また、スイッチ素子１２１がオンすると、比較器１２０のプラスの入力端子に入力される閾値が、第１閾値ＶＴ１から第２閾値ＶＴ２（ＶＴ２０）に上昇する。
【００３１】
ここで、照明器具８に雪が付着していたり、照明器具８の上端の近くに反射率の高い物体、例えば、白い壁などが存在する場合、光源２から放射される光の一部が反射して、光電変換部１４のフォトダイオード１４０に入射することがある。光源２から放射される光がフォトダイオード１４０に入射すると、検出信号Ｖｘの電圧値が上昇する。そして、検出信号Ｖｘの電圧値が第２閾値ＶＴ２（ＶＴ２０）を上回ると（時間ｔ＝ｔ２）、比較器１２０の出力がローレベルからハイレベルに変化してスイッチ素子１２１がオンする。スイッチ素子１２１がオンすれば、電源部１０の電源制御回路が力率改善回路及び降圧チョッパ回路を停止させて光源２を消灯する。また、スイッチ素子１２１がオフすると、比較器１２０のプラスの入力端子に入力される閾値が、第２閾値ＶＴ２（ＶＴ２０）から第１閾値ＶＴ１に下降する。
【００３２】
しかしながら、光源２が消灯すると、フォトダイオード１４０の入射光量が減少するために検出信号Ｖｘの電圧値が下降する。そして、検出信号Ｖｘの電圧値が第１閾値ＶＴ１を下回ると（時間ｔ＝ｔ３）、再び電源部１０の電源制御回路が力率改善回路及び降圧チョッパ回路を動作させて光源２を点灯する。また、比較器１２０のプラスの入力端子に入力される閾値が、第１閾値ＶＴ１から第２閾値ＶＴ２（ＶＴ２０）に上昇する。
【００３３】
そして、光源２が点灯してフォトダイオード１４０の入射光量が上昇し、検出信号Ｖｘの電圧値が第２閾値ＶＴ２（ＶＴ２０）を上回ると（時間ｔ＝ｔ４）、再び電源部１０の電源制御回路が力率改善回路及び降圧チョッパ回路を停止させて光源２を消灯する。また、比較器１２０のプラスの入力端子に入力される閾値が、第２閾値ＶＴ２（ＶＴ２０）から第１閾値ＶＴ１に下降する。
【００３４】
光源２が消灯し、検出信号Ｖｘの電圧値が第１閾値ＶＴ１を下回ると（時間ｔ＝ｔ５）、再び電源部１０の電源制御回路が力率改善回路及び降圧チョッパ回路を動作させて光源２を点灯する。また、比較器１２０のプラスの入力端子に入力される閾値が、第１閾値ＶＴ１から第２閾値ＶＴ２（ＶＴ２０）に上昇する。
【００３５】
そして、光源２が点灯し、検出信号Ｖｘの電圧値が第２閾値ＶＴ２（ＶＴ２０）を上回ると（時間ｔ＝ｔ６）、再び電源部１０の電源制御回路が力率改善回路及び降圧チョッパ回路を停止させて光源２を消灯する。また、比較器１２０のプラスの入力端子に入力される閾値が、第２閾値ＶＴ２（ＶＴ２０）から第１閾値ＶＴ１に下降する。そして、光源２が消灯し、検出信号Ｖｘの電圧値が第１閾値ＶＴ１を下回ると（時間ｔ＝ｔ７）、再び電源部１０の電源制御回路が力率改善回路及び降圧チョッパ回路を動作させて光源２を点灯する。
【００３６】
ここで、第２制御回路１３の検出部１３０は、光源２が点灯から消灯に切り換わった時点（時間ｔ＝ｔ２）を起点とする経過時間をタイマでカウントしている。さらに、検出部１３０は、所定時間Ｔ１内に光源２が点灯した後に再度消灯した回数Ｎをカウントしている。そして、検出部１３０は、回数Ｎが２回以上になると、可変抵抗器１３１の抵抗値を減少させて第２閾値ＶＴ２（ＶＴ２０）をＶＴ２１に上昇させる（時間ｔ＝ｔ７）。その結果、光源２が点灯して検出信号Ｖｘの電圧値が上昇しても第２閾値ＶＴ２１を上回らないので、第１制御回路１２が電源部１０を制御して光源２を消灯することがない。ゆえに、点灯装置１は、周囲環境の違い、例えば、雪の付着や反射率の高い物体の存在などに関わらず、光源２の点滅を繰り返すという誤動作の抑制を図ることができる。ただし、回数Ｎは２回に限定されず、３回以上でもよい。また、所定時間Ｔ１は、検出信号Ｖｘの電圧値が第１閾値ＶＴ１を下回ってから光源２が点灯するまでの第１時間と、検出信号Ｖｘの電圧値が第２閾値ＶＴ２を上回ってから光源２が消灯するまでの第２時間との合計時間から決定されてもよい。つまり、電源部１０の力率改善回路及び降圧チョッパ回路は、半導体スイッチング素子のスイッチングが開始されてから出力電圧が安定するまでにある程度の時間（第１時間）を必要とする。同じく、電源部１０の力率改善回路及び降圧チョッパ回路は、出力段に平滑コンデンサを有しているため、半導体スイッチング素子のスイッチングが停止されてから出力電圧がゼロになるまでにある程度の時間（第２時間）を必要とする。したがって、所定時間Ｔ１が、第１時間と第２時間の合計時間に回数Ｎの上限値（例えば、２回）を乗じた時間以上とされれば、検出部１３０が光源２の点滅を誤検知し難くなる。
【００３７】
図３に示すように、検出信号Ｖｘの電圧値は、日の出時刻に近付くにつれて徐々に上昇する。そして、検出信号Ｖｘの電圧値が第２閾値ＶＴ２１を上回ると（時間ｔ＝ｔ８）、比較器１２０の出力がローレベルからハイレベルに変化してスイッチ素子１２１がオフする。スイッチ素子１２１がオフすれば、電源部１０の電源制御回路が力率改善回路及び降圧チョッパ回路を停止させて光源２を消灯する。また、スイッチ素子１２１がオフすると、比較器１２０のプラスの入力端子に入力される閾値が、第２閾値ＶＴ２１から第１閾値ＶＴ１に下降する。ここで、検出部１３０は、所定時間Ｔ１が経過したら、可変抵抗器１３１の抵抗値を変化前の抵抗値（デフォルト値）に戻し、第２閾値ＶＴ２を元の値（ＶＴ２０）に戻してもよい。あるいは、検出部１３０は、制御電源回路１５から制御電圧Ｖccが供給されなくなった場合に、可変抵抗器１３１の抵抗値をデフォルト値に戻してもよい。
【００３８】
上述のように点灯装置１は、光源２に電力を供給して点灯する電源部１０と、電源部１０を制御して光源２を点灯及び消灯する制御部１１と、入射光量に対応した電気量を有する検出信号Ｖｘを出力する光電変換部１４とを備えている。制御部１１は、検出信号Ｖｘの電気量（電圧値）を第１閾値ＶＴ１及び第２閾値ＶＴ２と比較するように構成されている。また、制御部１１は、電気量が第１閾値ＶＴ１を下回った場合に電源部１０を制御して光源２を点灯するように構成されている。さらに、制御部１１は、電気量が第２閾値ＶＴ２を上回った場合に電源部１０を制御して光源２を消灯するように構成されている。第２閾値ＶＴ２は、第１閾値ＶＴ１よりも高い値とされている。制御部１１は、所定時間Ｔ１内に電源部１０を制御して光源２を点滅させた回数Ｎに応じて、第２閾値ＶＴ２を上昇させる。
【００３９】
点灯装置１が上述のように構成されれば、一旦は光源２を点滅させる誤動作を生じさせても、その後、第２閾値ＶＴ２を上昇させることにより、周囲環境の違いに関わらず、誤動作の抑制を図ることができる。
【００４０】
また、点灯装置１において、制御部１１は、所定時間Ｔ１内に電源部１０を制御して光源２を点滅させた回数Ｎが２回以上である場合に、第２閾値ＶＴ２を上昇させることが好ましい。
【００４１】
点灯装置１が上述のように構成されれば、制御部１１が不用意に第２閾値ＶＴ２を上昇させることを回避し、省エネルギ化を図ることができる。なお、回数Ｎが１回だけの場合に制御部１１が第２閾値ＶＴ２を上昇させると、第２閾値ＶＴ２が過剰に上昇してしまい、光源２の点灯期間が延びて省エネルギ化が図られ難くなってしまう。
【００４２】
さらに、点灯装置１において、所定時間Ｔ１は、電気量が第１閾値ＶＴ１を下回ってから光源２が点灯するまでの第１時間と、電気量が第２閾値ＶＴ２を上回ってから光源２が消灯するまでの第２時間との合計時間に、回数Ｎを乗じた時間以上であることが好ましい。
【００４３】
点灯装置１が上述のように構成されれば、制御部１１による光源２の点滅の誤検知を抑制することができる。
【００４４】
また、照明器具８は上述のように、点灯装置１と、点灯装置１によって点灯させられる光源２と、光源２を支持する器具本体８０とを備えている。
【００４５】
照明器具８が上述のように構成されれば、周囲環境の違いに関わらず、誤動作の抑制を図ることができる。
【００４６】
ところで、検出部１３０は、光源２に流れる電流を検知する代わりに、電源部１０の制御端子１０２の電圧変化を検知することによって光源２の点灯と消灯を判断しても構わない。
【符号の説明】
【００４７】
１  点灯装置
２  光源
８  照明器具
１０  電源部
１１  制御部
１４  光電変換部
８０  器具本体
Ｖｘ  検出信号
ＶＴ１  第１閾値
ＶＴ２  第２閾値
【図１】
0006611044.tif 000002
【図２】
0006611044.tif 000003
【図３】
0006611044.tif 000004